【誤訳訂正書】
【提出日】平成23年12月2日(2011.12.2)
【誤訳訂正１】
【訂正対象書類名】明細書
【訂正対象項目名】特許請求の範囲
【訂正方法】変更
【訂正の内容】
【特許請求の範囲】
【請求項１】  下記の式(I)の繰返し単位を含むポリマー化合物：
【化１】
2003505561.tif 000001
[式中、Aは、窒素原子；炭素原子；基 -CR1-；またはフッ素、塩素、シアノ、および1個のシアノ基または1個以上のハロゲン原子によって必要に応じて置換されていてもよく且つ1個以上の非隣接アルキル-CH2-基が-O-、-CO-、-CO-O-、-O-CO-、-Si(CH3)2-O-Si(CH3)2-、-NR1-、-NR1-CO-、-CO-NR1-、-NR1-CO-O-、-O-CO-NR1-、-NR1-CO-NR1-、-CH=CH-、-C≡C-および-O-CO-O-（式中、Ｒ1は水素原子または1〜6個の炭素原子を有するアルキルである）から選ばれた基によって必要に応じて置換されていてもよいC1-18の環状、直鎖または枝分れアルキル基から選ばれた基によって必要に応じて置換されていてもよい芳香族または脂環式基を示し；
Mは、繰返しモノマー単位を示し；
n1〜n3は、それぞれ個々に、0または1〜3の値を有する整数であり、但し、1 < n1 + n2 + n3 < 4であり；
P1、P2、P3は、それぞれ個々に、光反応性基を示し；
B1〜B4は、それぞれ個々に、下記の一般式IIの残基：
【化２】
2003505561.tif 000002
（式中、S1〜S3は、それぞれ個々に、1個のシアノ基または1個以上のハロゲン原子によって必要に応じて置換されていてもよく且つ1個以上の非隣接アルキレン-CH2-基が-O-、-CO-、-CO-O-、-O-CO-、-Si(CH3)2-O-Si(CH3)2-、-NR1-、-NR1-CO-、-CO-NR1-、-NR1-CO-O-、-O-CO-NR1-、-NR1-CO-NR1-、-CH=CH-、-C≡C-および-O-CO-O-（式中、Ｒ1は上記で定義したとおりである）から選ばれた基によって必要に応じて置換されていてもよいC1-24の直鎖または枝分れアルキレン基から選ばれた単結合またはスペーサー基を示し；
C1およびC2は、それぞれ個々に、フッ素、塩素、シアノ、または1個のシアノ基または1個以上のハロゲン原子によって必要に応じて置換されていてもよく且つ1個以上の非隣接アルキル-CH2-基が-O-、-CO-、-CO-O-、-O-CO-、-Si(CH3)2-O-Si(CH3)2-、-NR1-、-NR1-CO-、-CO-NR1-、-NR1-CO-O-、-O-CO-NR1-、-NR1-CO-NR1-、-CH=CH-、-C≡C-および-O-CO-O-（式中、Ｒ1は水素原子または1〜6個の炭素原子を有するアルキルである）から選ばれた基によって必要に応じて置換されていてもよいC1-18の環状、直鎖または枝分れアルキル基から選ばれた基によって必要に応じて置換されていてもよい芳香族または脂環式基を示し；
n4およびn5は、それぞれ個々に、0または1である)
を示し、
前記基P1〜P3が、下記の一般式IIIaおよびIIIb：
【化３】
2003505561.tif 000003
（式中、破線は、S3に対する結合点を示し；
Dは、ピリミジン-2,5-ジイル、ピリジン-2,5-ジイル、2,5-チオフェニレン、2,5-フラニレン、1,4-または2,6-ナフチレン；フッ素、塩素、シアノ、または1個のシアノ基または1個以上のハロゲン原子によって必要に応じて置換されていてもよく且つ1個以上の非隣接アルキル-CH2-基が-O-、-CO-、-CO-O-、-O-CO-、-Si(CH3)2-O-Si(CH3)2-、-NR1-、-NR1-CO-、-CO-NR1-、-NR1-CO-O-、-O-CO-NR1-、-NR1-CO-NR1-、-CH=CH-、-C≡C-および-O-CO-O-（式中、Ｒ1は前記で定義したとおりである）から選ばれた基によって必要に応じて置換されていてもよいC1-18の環状、直鎖または枝分れアルキル残基から選ばれた基によって必要に応じて置換されていてもよいフェニレン基を示し；
Eは、-OR3、-NR4R5または酸素原子を示し、環Dと一緒にクマリン単位を形成し、R3、R4およびR5は、水素、および1個以上のハロゲン原子によって必要に応じて置換されていてもよく且つ1個以上の非隣接アルキル-CH2-基が-O-、-CO-、-CO-O-、-O-CO-および-CH=CH-から選ばれた基によって必要に応じて置換されていてもよいC1-18の環状、直鎖または枝分れアルキル残基から選ばれ、或いはR4とR5は、一緒になってC5-8脂環式環を形成し；
X、Yは、それぞれ個々に、水素、フッ素、塩素、シアノ、またはフッ素によって必要に応じて置換されていてもよく且つ1個以上の非隣接アルキル-CH2-基が-O-、-CO-O-、-O-CO-および-CH=CH-から選ばれた基によって必要に応じて置換されていてもよいC1-12のアルキル基を示し；
R2は、水素、または1個のシアノ基または1個以上のハロゲン原子によって必要に応じて置換されていてもよく且つ1個以上の非隣接アルキル-CH2-基が-O-、-CO-、-CO-O-、-O-CO-、-Si(CH3)2-O-Si(CH3)2-、-NR1-、-NR1-CO-、-CO-NR1-、-NR1-CO-O-、-O-CO-NR1-、-NR1-CO-NR1-、-CH=CH-、-C≡C-および-O-CO-O-（式中、Ｒ1は前記で定義したとおりである）から選ばれた基によって必要に応じて個々に置換されていてもよいC1-18の直鎖または枝分れアルキル基を示す）から選ばれる]。
【請求項２】  式(I)の繰返し単位が、モノマー構成ブロックを少なくとも50％含む請求の範囲第1項記載のポリマー化合物。
【請求項３】  基Mが、アクリレート；メタクリレート；2-クロロアクリレート；2-フェニルアクリレート；窒素原子が1〜6個の炭素原子を有するアルキル基によって必要に応じて置換されていてもよいアクリルアミド、メタクリルアミド、2-クロロアクリルアミドおよび2-フェニルアクリルアミド；ビニルエーテル；ビニルエステル；スチレン誘導体；シロキサン；イミド；アミド酸；アミド酸エステル；アミドイミド；マレイン酸誘導体；およびフマル酸誘導体から選ばれる請求の範囲第1項〜第2項のいずれか1項記載のポリマー化合物。
【請求項４】  請求の範囲第1項に記載の式(I)の繰返し単位の1個以上を重合させることを特徴とする、ポリマー化合物の製造方法。
【請求項５】  架橋形の請求の範囲第1項に記載のポリマー化合物を含むポリマー層。
【請求項６】  光学または光電装置用の配向層である請求の範囲第５項記載のポリマー層。
【請求項７】  光学または光電装置の製造における請求の範囲第1項〜第3項のいずれか1項記載のポリマー化合物の使用。
【請求項８】  請求の範囲第1項〜第3項のいずれか1項記載のポリマー化合物を含む光学または光電装置。
【請求項９】  請求の範囲第5項または第6項記載の層を含む光学または光電装置。
【請求項１０】  ポリ-[1-[11-[5-[4-[(E)-2-メトキシカルボニルビニル]ベンゾイロキシ]-2-[6-[2-メトキシ-(E)-4-(メトキシカルボニルビニル)フェノキシ]オキシヘキシル]ベンゾイロキシ]ウンデシロキシカルボニル]-1-メチルエチレン]である、請求の範囲第1項に記載の式(I)の繰返し単位を含むポリマー化合物。
【請求項１１】  ポリ-[1-[11-[(E,E)-2,5-ジ-[6-[2-メトキシ-4-(メトキシカルボニルビニル)フェノキシ]オキシヘキシル]ベンゾイロキシ]ウンデシロキシカルボニル]-1-メチルエチレン]である、請求の範囲第1項に記載の式(I)の繰返し単位を含むポリマー化合物。
【誤訳訂正２】
【訂正対象書類名】明細書
【訂正対象項目名】０００５
【訂正方法】変更
【訂正の内容】
【０００５】
（発明の開示）
本発明の第1の局面は、下記の式(I)の繰返し単位を含む高分子化合物を提供することである：
【化４】
2003505561.tif 000004
[式中、Aは、窒素原子；炭素原子；基 -CR1-；またはフッ素、塩素、シアノ、および1個のシアノ基または1個以上のハロゲン原子によって必要に応じて置換されていてもよく且つ1個以上の非隣接アルキル-CH2-基が-O-、-CO-、-CO-O-、-O-CO-、-Si(CH3)2-O-Si(CH3)2-、-NR1-、-NR1-CO-、-CO-NR1-、-NR1-CO-O-、-O-CO-NR1-、-NR1-CO
-NR1-、-CH=CH-、-C≡C-および-O-CO-O-（式中、Ｒ1は水素または低級アルキルである）から選ばれた基によって必要に応じて置換されていてもよいC1-18の環状、直鎖または枝分れアルキル基から選ばれた基によって必要に応じて置換されていてもよい芳香族もしくは脂環式基を示し；
Mは、繰返しモノマー単位を示し；
n1〜n3は、それぞれ個々に、0または1〜3の値を有する整数であり、但し、1 < n1 + n2 + n3 < 4であり；
P1、P2、P3は、それぞれ個々に、光反応性基を示し；
B1〜B4は、それぞれ個々に、下記の一般式の残基：
【化５】
2003505561.tif 000005
（式中、S1〜S3は、それぞれ個々に、1個のシアノ基または1個以上のハロゲン原子によって必要に応じて置換されていてもよく且つ1個以上の非隣接アルキレン-CH2-基が-O-、-CO-、-CO-O-、-O-CO-、-Si(CH3)2-O-Si(CH3)2-、-NR1-、-NR1-CO-、-CO-NR1-、-NR1-CO-O-、-O-CO-NR1-、-NR1-CO-NR1-、-CH=CH-、-C≡C-および-O-CO-O-（
式中、Ｒ1は上記で定義したとおりである）から選ばれた基によって必要に応じて置換されていてもよいC1-24の直鎖または枝分れアルキレン基から選ばれた単結合またはスペーサー基であり；
C1およびC2は、それぞれ個々に、フッ素、塩素、シアノ、または1個のシアノ基または1個以上のハロゲン原子によって必要に応じて置換されていてもよく且つ1個以上の非隣接アルキル-CH2-基が-O-、-CO-、-CO-O-、-O-CO-、-Si(CH3)2-O-Si(CH3)2-、-NR1-、-NR1-CO-、-CO-NR1-、-NR1-CO-O-、-O-CO-NR1-、-NR1-CO-NR1-、-CH=CH-、-C≡C-および-O-CO-O-（式中、Ｒ1は水素原子または低級アルキルである）から選ばれた基によって必要に応じて置換されていてもよいC1-18の環状、直鎖または枝分れアルキル基から選ばれた基によって必要に応じて置換されていてもよい芳香族または脂環式基を示し；
n4およびn5は、それぞれ個々に、0または1である)
を示す]。
【誤訳訂正３】
【訂正対象書類名】明細書
【訂正対象項目名】０００６
【訂正方法】変更
【訂正の内容】
【０００６】
本発明の高分子化合物は、直線偏光に露光させたときに容易に整列させることができる。さらに、本発明の化合物を使用することにより、架橋ポリマーフィルムを形成させるのに必要な照射時間を短縮することが可能である。
“芳香族”なる用語は、必要に応じて置換されていてもよい炭素環または複素環基を包含するものと理解すべきである。
“1個のシアノ基または1個以上のハロゲン原子によって必要に応じて置換されていてもよく且つ1個以上の非隣接-CH2-基が-O-、-CO-、-CO-O-、-O-CO-、-CH=CH-および-C≡C−から選ばれた基によって必要に応じて置換されていてもよい環状、直鎖または枝分れアルキル基”なる用語は、下記の群から選ばれた基を包含するものと理解すべきである。
【誤訳訂正４】
【訂正対象書類名】明細書
【訂正対象項目名】０００８
【訂正方法】変更
【訂正の内容】
【０００８】
“低級アルキル”なる用語は、1〜6個の炭素原子、好ましくは1〜3個の炭素原子を有する直鎖および枝分れ炭化水素基を包含するものと理解すべきである。メチル、エチル、プロピルおよびイソプロピル基が、とりわけ好ましい。
“脂環式”なる用語は、3〜20個の炭素原子を有する非芳香族炭素環または複素環系を包含するものと理解すべきである。
基Aは、好ましくは、必要に応じて置換されていてもよい芳香族基である。また、基Aが必要に応じて1個のアルキル基で置換されている場合、1個以上のアルキル-CH2-基は、-O-、-CO-、-CO-O-、-O-CO-および-CH=CH-から選ばれた基で必要に応じて置換されていてもよい。
とりわけ好ましいのは、Aを、1個以上のフッ素原子で必要に応じて置換されていてもよい1,2,5-ベンゼントリイル、1,3,5-ベンゼントリイルおよび1,3,4,5-ベンゼンテトライルから選ばれた基から選ぶことである。基B4は、好ましくは、上記とりわけ好ましい基Aの位置1を占める。
好ましいのは、n1 + n2 = 2およびn3 = 0である場合、Aが、-CR1-または必要に応じて置換されていてもよい芳香族または脂環式基であることである。また、n1 = 3およびn2 + n3 = 0である場合、Aは、必要に応じて置換されていてもよい芳香族または脂環式基のみを示す。
【誤訳訂正５】
【訂正対象書類名】明細書
【訂正対象項目名】０００９
【訂正方法】変更
【訂正の内容】
【０００９】
基P1、P2およびP3は、UVまたはレーザー光に露光させたとき光異性化または光二量体化できる。基P1〜P3は、好ましくは、光環状化反応を受ける。基P1〜P3は、好ましくは、下記の一般式IIIaおよびIIIbによって示される：
【化６】
2003505561.tif 000006
（式中、破線は、S3に対する結合点を示し；
Dは、ピリミジン-2,5-ジイル、ピリジン-2,5-ジイル、2,5-チオフェニレン、2,5-フラニレン、1,4-または2,6-ナフチレン；フッ素、塩素、シアノ、または1個のシアノ基または1個以上のハロゲン原子によって必要に応じて置換されていてもよく且つ1個以上の非隣接アルキル-CH2-基が-O-、-CO-、-CO-O-、-O-CO-、-Si(CH3)2-O-Si(CH3)2-、-NR1-、-NR1-CO-、-CO-NR1-、-NR1-CO-O-、-O-CO-NR1-、-NR1-CO-NR1-、-CH=CH-、-C≡C-および-O-CO-O-（式中、Ｒ1は前記で定義したとおりである）から選ばれた基によって必要に応じて置換されていてもよいC1-18の環状、直鎖または枝分れアルキル残基から選ばれた基によって必要に応じて置換されていてもよいフェニレン基を示し；
Eは、-OR3、-NR4R5または酸素原子を示し、環Dと一緒にクマリン単位を形成し、R3、R4およびR5は、水素、および1個以上のハロゲン原子によって必要に応じて置換されていてもよく且つ1個以上の非隣接アルキル-CH2-基が-O-、-CO-、-CO-O-、-O-CO-および-CH=CH-から選ばれた基によって必要に応じて置換されていてもよいC1-18の環状、直鎖または枝分れアルキル残基から選ばれ、或いはR4とR5は、一緒になってC5-8脂環式環を形成し；
X、Yは、それぞれ個々に、水素、フッ素、塩素、シアノ、またはフッ素によって必要に応じて置換されていてもよく且つ1個以上の非隣接アルキル-CH2-基が-O-、-CO-O-、-O-CO-および-CH=CH-から選ばれた基によって必要に応じて置換されていてもよいC1-12のアルキル基を示し；
R2は、水素、または1個のシアノ基または1個以上のハロゲン原子によって必要に応じて置換されていてもよく且つ1個以上の非隣接アルキル-CH2-基が-O-、-CO-、-CO-O-、-O-CO-、-Si(CH3)2-O-Si(CH3)2-、-NR1-、-NR1-CO-、-CO-NR1-、-NR1-CO-O-、-O-CO-NR1-、-NR1-CO-NR1-、-CH=CH-、-C≡C-および-O-CO-O-（式中、Ｒ1は前記で定義したとおりである）から選ばれた基によって必要に応じて個々に置換されていてもよいC1-18の直鎖または枝分れアルキル残基を示す）。
【誤訳訂正６】
【訂正対象書類名】明細書
【訂正対象項目名】００１０
【訂正方法】変更
【訂正の内容】
【００１０】
好ましいのは、基XおよびYが水素を示すことである。
また、基Dが、ピリミジン-2,5-ジイル、ピリジン-2,5-ジイル、2,5-チオフェニレン、2,5-フラニレン、1,4-または2,6-ナフチレン、およびアルキル基が1個以上のハロゲン基によって必要に応じて置換されていてもよく且つ1個以上の非隣接アルキル-CH2-基が-O-、-CO-、-CO-O-、-O-CO-、-CH=CH-および-C≡C-から選ばれた基によって必要に応じて個々に置換されていてもよいC1-12の環状、直鎖または枝分れアルキル残基から選ばれた基によって必要に応じて置換されていてもよいフェニレン基を示すことも好ましい。
とりわけ好ましいのは、基Dが、ピリミジン-2,5-ジイル、ピリジン-2,5-ジイル、2,5-フラニレン、1,4-または2,6-ナフチレン、およびアルキル基が1個以上のフッ素原子によって必要に応じて置換されていてもよく且つ1個以上の非隣接アルキル基-CH2-が-O-、-CO-、-CO-O-、-O-CO-および-CH=CH-から選ばれた基によって必要に応じて個々に置換されていてもよいC1-6の直鎖または枝分れアルキル残基から選ばれた基によって必要に応じて置換されていてもよいフェニレンを示すことである。
【誤訳訂正７】
【訂正対象書類名】明細書
【訂正対象項目名】００１１
【訂正方法】変更
【訂正の内容】
【００１１】
“フェニレン”なる用語は、必要に応じて置換されていてもよい1,2-、1,3-および1,4-フェニレンを包含するものと理解すべきである。好ましくは、フェニレン基は、1,3-または1,4-フェニレンのいずれかである。1,4-フェニレン基がとりわけ好ましい。
好ましいE基は、-OR3および-NR4R5から選ばれる(式中、R3およびR4は、1個以上のハロゲン原子によって必要に応じて置換されていてもよく且つ1個以上の非隣接アルキル-CH2-基が-O-または-CH=CH-から選ばれた基によって必要に応じて個々に置換されていてもよいC1-18の環状、直鎖または枝分れアルキル残基を示し；R5が、水素原子、または1個以上のハロゲン基によって必要に応じて置換されていてもよく且つ1個以上の非隣接アルキル-CH2-基が-O-または-CH=CH-から選ばれた基によって必要に応じて個々に置換されていてもよいC1-18の環状、直鎖または枝分れアルキル残基から選ばれ；或いはR4とR5は、一緒になってC5-8脂環式環を形成する)。
とりわけ好ましいのは、Eが-OR3または-NHR4を含む基から選ばれ、R3およびR4が、1個以上のフッ素原子によって必要に応じて置換されていてもよく且つ1個以上の非隣接アルキル-CH2-基が-O-によって必要に応じて個々に置換されていてもよいC1-18の環状、直鎖または枝分れアルキル残基を示すことである。
【誤訳訂正８】
【訂正対象書類名】明細書
【訂正対象項目名】００１２
【訂正方法】変更
【訂正の内容】
【００１２】
好ましい基B1〜B4は、n4+n5≦1である式(II)の基である。
好ましいのは、基B1〜B4を含む基C1およびC2の各々が、シクロヘキサン-1,4-ジイル、ピリミジン-2,5-ジイル、ピリジン-2,5-ジイル、1,4-または2,6-ナフチレン；フッ素、塩素、シアノ、および1個のシアノ基または1個以上のハロゲン原子によって必要に応じて置換されていてもよく且つ1個以上の非隣接アルキル-CH2-基が-O-、-CO-、-CO-O-、-O-CO-、-CH=CH-、-C≡C-および-O-CO-O-から選ばれた基によって必要に応じて個々に置換されていてもよいC1-12の環状、直鎖または枝分れアルキル残基から選ばれた基によって必要に応じて置換されていてもよいフェニレン基から選ばれることである。
とりわけ好ましいのは、基C1およびC2の各々が、シクロヘキサン-1,4-ジイル、ピリミジン-2,5-ジイル、ピリジン-2,5-ジイル、2,6-ナフチレン、および1個以上のフッ素原子によって必要に応じて置換されていてもよく且つ1個以上の非隣接アルキル-CH2-基が-O-、-CO-、-CO-O-、-O-CO-および-CH=CH-から選ばれた基によって必要に応じて個々に置換されていてもよいC1-8の直鎖または枝分れアルキル残基から選ばれた基によって必要に応じて置換されていてもよいフェニレン基から選ばれることである。
【誤訳訂正９】
【訂正対象書類名】明細書
【訂正対象項目名】００１３
【訂正方法】変更
【訂正の内容】
【００１３】
好ましいのは、基S1〜S3が、単一共有結合の-O-、-CO-O-、-O-CO-、-NR1-、-NR1-CO-、-CO-NR1-、-NR1-CO-O-、-O-CO-NR1-、-NR1-CO-NR1-、-CH=CH-、-C≡C-
、-O-CO-O-、およびフッ素、塩素およびシアノから選ばれた1個以上の基によって必要に応じて置換されていてもよく且つ2個または3個の非隣接アルキル-CH2-基が-O-、-CO-O-、-O-CO-、-NR1-、-NR1-CO-、-CO-NR1-、-NR1-CO-O-、-O-CO-NR2-、-NR1-CO-NR1-、-CH=CH-、-C≡C-、-O-CO-O-および-Si(CH3)2-O-Si(CH3)2-(式中、R1は、前期で定義したとおりである)から選ばれた基によって必要に応じて個々に置換されていてもよい直鎖または枝分れアルキレン基から選ばれることであるが、第1に、上記アルキレン基における連鎖炭素原子の総数は24個を越えないこと、および第2に、繰返しモノマー単位Mが窒素原子または酸素原子を介してB4に結合しているときは、S1、S2およびS3は、-O-、-CO-O-、-O-CO-、-NR1-、-NR1-CO-、-CO-NR1-、-NR1-CO-O-、-O-CO-NR1-、-NR1-CO-NR1-、-CH=CH-、-C≡C-または-O-CO-O−ではないことを条件とする。
【誤訳訂正１０】
【訂正対象書類名】明細書
【訂正対象項目名】００１７
【訂正方法】変更
【訂正の内容】
【００１７】
好ましいのは、式(I)の単位が、光活性ポリマーの主鎖を構成するモノマー構成ブロックを少なくとも50％含むことである。とりわけ好ましいのは、式(I)の単位が、光活性ポリマーの主鎖を構成するモノマー構成ブロックを少なくとも70％含むことである。
繰返しモノマー単位Mは、ホモポリマーまたはコポリマーの1部を示す。好ましいのは、Mがコポリマーの1部を構成することである。“コポリマー”なる用語は、ランダムコポリマーを包含するものと理解すべきである。
繰返しモノマー単位Mは、好ましくは、アクリレート；メタクリレート；2-クロロアクリレート；2-フェニルアクリレート；窒素原子が低級アルキル基によって必要に応じて置換されていてもよいアクリルアミド、メタクリルアミド、2-クロロアクリルアミドおよび2-フェニルアクリルアミド；ビニルエーテル；ビニルエステル；スチレン誘導体；シロキサン；イミド；アミド酸；アミド酸エステル；アミドイミド；マレイン酸誘導体；およびフマル酸誘導体から選ばれる。
より好ましいのは、繰返しモノマー単位Mが、アクリレート；メタクリレート；窒素原子が低級アルキル基によって必要に応じて置換されていてもよいアクリルアミドおよびメタクリルアミド；ビニルエーテル；ビニルエステル；スチレン誘導体；イミド；アミド酸；アミド酸エステルおよびアミドイミドから選ばれることである。
とりわけ好ましいのは、繰返しモノマー単位Mが、アクリレート、メタクリレート、スチレン誘導体、イミド、アミド酸、アミド酸エステルおよびアミドイミドから選ばれることである。
【誤訳訂正１１】
【訂正対象書類名】明細書
【訂正対象項目名】００１８
【訂正方法】変更
【訂正の内容】
【００１８】
モノマー単位Mがイミド基である場合、モノマー単位Mは、好ましくは、下記の一般式VI、VII、VIII、IX、XおよびXIの各構造体から選ばれる：
【化７】
2003505561.tif 000007
【化８】
2003505561.tif 000008
（式中、破線は、B4に対する結合を示し；
T1は、4価の有機基を示し；
T2、T3は、それぞれ個々に、フッ素、塩素、シアノ、および1個以上のハロゲン基によって必要に応じて置換されていてもよく且つ1個以上の非隣接アルキル-CH2-基が-O-、-CO-、-CO-O-、-O-CO-、-CH=CH-および-C≡C-から選ばれた基によって必要に応じて個々に置換されていてもよいC1-18の環状、直鎖または枝分れアルキル残基から選ばれた基によって必要に応じて置換されていてもよい3価の芳香族または脂環式基を示し；
S4〜S8は、それぞれ個々に、1個のシアノ基または1個以上のハロゲン原子によって必要に応じて置換されていてもよく且つ1個以上の非隣接アルキレン-CH2-基が-O-、-CO-、-CO-O-、-O-CO-、-Si(CH3)2-O-Si(CH3)2-、-NR1-、-NR1-CO-、-CO-NR1-、-NR1-CO-O-、-O-CO-NR1-、-NR1-CO-NR1-、-CH=CH-、-C≡C-および-O-CO-O-（式中、Ｒ1は上記で定義したとおりである）から選ばれた基によって必要に応じて置換されていてもよい単結合およびC1-24の直鎖または枝分れアルキレン残基から選ばれ；
Ｊは、窒素原子、基-CR1-、並びにフッ素、塩素、シアノ、および1個のシアノ基または1個以上のハロゲン原子によって必要に応じて置換されていてもよく且つ1個以上の非隣接-CH2-基が-O-、-CO-、-CO-O-、-O-CO-、-CH=CH-および-C≡C-(式中、R1は、前記で定義したとおりである)から選ばれた基によって必要に応じて個々に置換されていてもよいC1-18の環状、直鎖または枝分れアルキル残基から選ばれた基によって必要に応じて置換されていてもよい芳香族または脂環式の2価、3価または4価の基を含む群から選ばれ；
Kは、脂肪族、脂環式または芳香族の2価の基を示し；
Gは、水素原子または1価の有機基を示す)。